(57)【要約】【課題】股間対応領域の幅が調整可能であり、装着者の体型等に応じた高いフィット性が得られる吸収性物品を提供する。【解決手段】透液性のトップシートと、不透液性のバックシートと、前記トップシートと前記バックシートとの間に設けられた吸収体とを有し、前後方向に所定の長さ及び前記前後方向に直交する幅方向に所定の幅を有する吸収性物品であって、装着時に装着者の股間に対応する股間対応領域において、前記幅方向の中央に、前記前後方向に沿って肉薄部が形成され、前記バックシートの、前記吸収体と反対側の面に、前記肉薄部の側方縁部に沿って、前記バックシートに止着可能な止着部が設けられており、前記股間対応領域が展開された幅広状態から、前記肉薄部の両側方縁部を互いに近付けることによって前記肉薄部に襞が形成され、前記襞が前記止着部によって止着された幅狭状態にすることができる。【選択図】図１
2020048935.tif 000002
【特許請求の範囲】
【請求項１】
透液性のトップシートと、不透液性のバックシートと、前記トップシートと前記バックシートとの間に設けられた吸収体とを有し、前後方向に所定の長さ及び前記前後方向に直交する幅方向に所定の幅を有する吸収性物品であって、
装着時に装着者の股間に対応する股間対応領域において、前記幅方向の中央に、前記前後方向に沿って肉薄部が形成され、
前記バックシートの、前記吸収体と反対側の面に、前記肉薄部の側方縁部に沿って、前記バックシートに止着可能な止着部が設けられており、
前記股間対応領域が展開された幅広状態から、
前記肉薄部の両側方縁部を互いに近付けることによって前記肉薄部に襞が形成され、前記襞が前記止着部によって止着された幅狭状態にすることができる、吸収性物品。
【請求項２】
前記止着部は、メカニカルファスナーのフック材を備えている、請求項１に記載の吸収性物品。
【請求項３】
前記肉薄部内の領域に、前記肉薄部の前記側方縁部から離間して配置された掴み部が設けられている、請求項１又は２に記載の吸収性物品。
【請求項４】
前記掴み部は、前記前後方向に不連続に配置されており、
前記掴み部が配置された位置で、前記肉薄部の幅が広くなっている、請求項３に記載の吸収性物品。
【請求項５】
前記吸収体に、前記肉薄部より前方及び／又は後方に、前記肉薄部から離れるほど前記幅方向外側に向かうスリット又は溝が形成されている、請求項１から４のいずれか一項に記載の吸収性物品。
【請求項６】
透液性のトップシートと、不透液性のバックシートと、前記トップシートと前記バックシートとの間に設けられた吸収体とを有し、前後方向に所定の長さ及び前記前後方向に直交する幅方向に所定の幅を有し、装着時に装着者の股間に対応する股間対応領域において、前記幅方向の中央に、前記前後方向に沿って肉薄部が形成され、前記バックシートの、前記吸収体と反対側の面に、前記肉薄部の側方縁部に沿って、前記バックシートに止着可能な止着部が設けられている吸収性物品の使用方法であって、
前記股間対応領域が展開された幅広状態から、
前記肉薄部の両側方縁部を互いに近付けることによって前記肉薄部に襞を形成し、
前記襞が前記止着部によって止着して、幅狭状態にする、吸収性物品の使用方法。
【発明の詳細な説明】
【技術分野】
【０００１】
本発明は、吸収性物品、及び吸収性物品の使用方法に関する。
【背景技術】
【０００２】
使い捨ておむつ等の吸収性物品は、透液性のトップシートと、不透液性のバックシートと、両シートの間に配置された吸収体とを有する構成が一般的である。このような吸収性物品は、装着者の身体にトップシート側の面を対向させ、下腹部から臀部まで沿わせるようにして装着する。この際、漏れを生じさせ得る隙間ができないよう、また大きなシワやヨレ等によって装着感が損なわれないように、吸収性物品を身体に適切にフィットさせることが重要である。よって、吸収性物品においては、適切にフィットできるようにするための様々な工夫がなされている。
【０００３】
例えば、特許文献１には、背側部の両側部それぞれに、各々少なくとも２本のファスニングテープ５１、５２を有する背側フラップ部５０を具備し、股下部Ｃにおける吸収体の両側部４１、４１が、着用時に屈曲して着用者の大腿部内側面に沿って配置されている使い捨ておむつであって、２本のファスニングテープ５１、５２が、おむつ本体に対する所定の位置に設けられているものが開示されている。特許文献１に開示の構成では、ファスニングテープ５１、５２の配置等を規定することで、ファスニングテープ５１、５２を、腹側部Ｂに形成されたランディングゾーン６上で十分に引き上げて止着することができる。これにより、おむつのずれ落ちを防止し、装着性及びフィット性を向上させることができる。
【先行技術文献】
【特許文献】
【０００４】
【特許文献１】特開２００４−１４１５３２号公報
【発明の概要】
【発明が解決しようとする課題】
【０００５】
しかしながら、装着者の体型は様々であり、また吸収性物品の使用形態も様々であるので、特許文献１等に開示の構成では、体型や使用形態が異なる複数の装着者各々に対し優れたフィット性を供することは難しい。例えば、吸収性物品の股間対応領域の幅が或る装着者の股間部位の幅には適合しているものの、別の装着者の股間部位の幅に対して大きすぎることがある。そのような場合、別の装着者の股間対応領域にはシワ等が生じてフィット性が低下することがある。そして、このようなフィット性の低下により、漏れが生じたり、装着感を損ねたりする場合がある。
【０００６】
上記の点に鑑みて、股間対応領域の幅が調整可能であり、装着者の体型等に応じた高いフィット性が得られる吸収性物品を提供することを課題とする。
【課題を解決するための手段】
【０００７】
本発明の第一の態様は、透液性のトップシートと、不透液性のバックシートと、前記トップシートと前記バックシートとの間に設けられた吸収体とを有し、前後方向に所定の長さ及び前記前後方向に直交する幅方向に所定の幅を有する吸収性物品であって、装着時に装着者の股間に対応する股間対応領域において、前記幅方向の中央に、前記前後方向に沿って肉薄部が形成され、前記バックシートの、前記吸収体と反対側の面に、前記肉薄部の側方縁部に沿って、前記バックシートに止着可能な止着部が設けられており、前記股間対応領域が展開された幅広状態から、前記肉薄部の両側方縁部を互いに近付けることによって前記肉薄部に襞が形成され、前記襞が前記止着部によって止着された幅狭状態にすることができる。
【０００８】
上記第一の態様によれば、股間対応領域において、幅方向中央に前後方向に沿って肉薄部が形成されてので、吸収性物品は肉薄部の両側方縁部に沿って又はその付近で折れやすくなっている。そのため、吸収性物品の使用時には、装着者の体型等に合わせて、肉薄部の両側方縁部を互いに近付けることで、股間対応領域の幅を狭めるよう吸収性物品を変形させることができる。さらに、バックシートの、吸収体と反対側の面、すなわち吸収性物品の下着側の面において、肉薄部の側方縁部に沿って、バックシートに止着可能な止着部が設けられているので、上記の変形時に肉薄部に形成され得る襞をバックシートに止着し、その襞を維持することができる。
【０００９】
このように、本形態によれば、吸収性物品を、股間対応領域が展開されてその幅が最大となっている幅広状態から、幅が狭められた幅狭状態へと容易に変形させることができる上、その幅狭状態を維持することができる。これにより、吸収性物品の使用の都度、股間対応領域の幅を、装着者の体型や吸収性物品の使用形態等に応じて調整することができる。このため、装着者の様々な体型、使用形態等に応じた良好なフィット性を得ることができる。
【００１０】
本発明の第二の態様では、前記止着部は、メカニカルファスナーのフック材を備えている。
【００１１】
上記第二の態様によれば、止着部は、バックシートに着脱可能に止着し得るので、一旦幅狭状態を形成した後に、再度幅広状態にすることもできるし、幅狭状態への変形をやり直して、股間対応領域がより狭い又はより広い幅を有するようにすることができる。
【００１２】
本発明の第三の態様では、前記肉薄部内の領域に、前記肉薄部の前記側方縁部から離間して配置された掴み部が設けられている。
【００１３】
上記第三の態様によれば、幅狭状態を形成する場合に、掴み部を、例えばバックシート側から把持することができるので、襞を容易に形成することができるので、吸収性物品をより簡単に幅狭状態とすることができる。
【００１４】
本発明の第四の態様では、前記掴み部は、前記前後方向に不連続に配置されており、前記掴み部が配置された位置で、前記肉薄部の幅が広くなっている。
【００１５】
上記第四の態様によれば、吸収性物品を幅狭状態とする場合に、肉薄部の両側方縁部を近付ける際、肉薄部の幅が広くなっている位置において、掴み部がはまり込むことが可能となる。これにより、掴み部と肉薄部の側方の吸収体とが前後方向に噛み合うことになり、幅狭状態をより安定的に維持することができる。
【００１６】
本発明の第五の態様では、前記吸収体に、前記肉薄部より前方及び／又は後方に、前記肉薄部から離れるほど前記幅方向外側に向かうスリット又は溝が形成されている。
【００１７】
上記第五の態様によれば、吸収体に形成されたスリット又は溝によって、幅狭状態になったときに肉薄部の前方及び後方に生じ得るシワを解消又は抑制することができる。
【００１８】
本発明の第六の態様では、透液性のトップシートと、不透液性のバックシートと、前記トップシートと前記バックシートとの間に設けられた吸収体とを有し、前後方向に所定の長さ及び前記前後方向に直交する幅方向に所定の幅を有し、装着時に装着者の股間に対応する股間対応領域において、前記幅方向の中央に、前記前後方向に沿って肉薄部が形成され、前記バックシートの、前記吸収体と反対側の面に、前記肉薄部の側方縁部に沿って、前記バックシートに止着可能な止着部が設けられている吸収性物品の使用方法であって、前記股間対応領域が展開された幅広状態から、前記肉薄部の両側方縁部を互いに近付けることによって前記肉薄部に襞を形成し、前記襞が前記止着部によって止着して、幅狭状態にする。
【００１９】
上記第六の態様によれば、第一から第五の態様のいずれかにより得られる効果と同様の効果を奏する、吸収性物品の使用方法を提供することができる。
【発明の効果】
【００２０】
本発明の一態様によれば、股間対応領域の幅が調整可能であり、装着者の体型等に応じた高いフィット性が得られる吸収性物品を提供することができる。
【図面の簡単な説明】
【００２１】
【図１】本発明の第１実施形態による吸収性物品の平面図（トップシート側から見た図）である。
【図２】本発明の第１実施形態による吸収性物品の平面図（バックシート側から見た図）である。
【図３】図２に示す吸収性物品の幅狭状態を示す図である。
【図４】図１のＩ−Ｉ線断面の、幅広状態及び幅狭状態について説明する図である。
【図５】本発明の第２実施形態による吸収性物品の平面図（バックシート側から見た図）である。
【図６】図５のＩＩ−ＩＩ線断面図である。
【図７】本発明の第３実施形態による吸収性物品の平面図（バックシート側から見た図）である。
【図８】本発明の第４実施形態による吸収性物品の平面図（バックシート側から見た図）である。
【発明を実施するための形態】
【００２２】
以下、図面を参照しながら、本発明の実施形態を詳説する。なお、各図面において、特に説明がない限り、同一の又は対応する構成については同一の符号を付して説明を省略する場合がある。また、図面は、発明の理解を助けるための模式的なものである。
【００２３】
（吸収性物品の基本構造）
本発明の一形態による吸収性物品は、透液性のトップシートと、不透液性のバックシートと、前記トップシートと前記バックシートとの間に設けられた吸収体とを有する。本形態による吸収性物品は、テープ式、パンツ式、パッド式等のあらゆる形態の使い捨ておむつであってよいが、以下、例としてテープ式の使い捨ておむつを示して説明する。
【００２４】
図１に、本形態による吸収性物品１をトップシート２２側から見た平面図を、図２に、バックシート２１側から見た平面図をそれぞれ示す。
【００２５】
図１及び図２に示すように、吸収性物品１は、平面視で、第１方向（前後方向又は縦方向）Ｄ１に所定の長さを有し、第１方向Ｄ１と直交する第２方向（幅方向又は横方向）Ｄ２に所定の幅を有する。図示の形態では、吸収性物品１の平面視形状は、前後方向Ｄ１で見て中央付近で幅が狭くなっている部分（括れ部分）を有するが、前後方向Ｄ１にわたって幅が一定である矩形状等、他の形状であってもよい。
【００２６】
また、吸収性物品１の形状は、前後方向Ｄ１に延びる中心線（前後方向中心線）ＣＬを対称線として線対称とすることができるが、必ずしも線対称でなくてよい。また、吸収性物品１の構成（各要素の大きさ、形状、配置等）も線対称であってよいが、線対称でなくてもよい。吸収性物品１の前後方向Ｄ１の長さ（全長）は、３５０〜１０００ｍｍ程度とすることができる。また、幅方向Ｄ２の長さ（幅、括れ部分がある場合には括れ部分の幅）は１３０〜４００ｍｍ程度とすることができる。
【００２７】
吸収性物品１は、使用時に身体の股間（股下）に対応させる領域である股間対応領域を有する。股間対応領域Ｃは、例えば、吸収性物品１の前後方向Ｄ１中央若しくはその近傍から前方の所定位置までの範囲であってもよいし、吸収性物品の前後方向Ｄ１中央の所定範囲であってよい。図１の形態では、括れ部分が形成されている領域又はその一部が含まれる領域を股間対応領域Ｃとすることができる。股間対応領域Ｃの前後方向Ｄ１の長さは１００〜４００ｍｍ程度であってよい。
【００２８】
股間対応領域Ｃの前方に隣接し、吸収性物品１の前端までの領域が前方領域Ｆとなっており、股間対応領域Ｃの後方に隣接し、吸収性物品１の後端までの領域が後方領域Ｒとなっている。装着される際、前方領域Ｆは装着者の腹側に、後方領域Ｒは装着者の背側にそれぞれ当てられる。
【００２９】
図１及び図２に示すように、吸収性物品１は、トップシート（表面シートともいう）２２と、バックシート（裏面シートともいう）２１との間に吸収体３０が積層された略平面状の積層構造体である。吸収性物品１を装着する際には、トップシート２２側が肌に対向する側（肌側）となり、バックシート２１側は、吸収性物品の装着後に着用する衣類等に対向する側（衣類側）となる。
【００３０】
バックシート２１（図２）は不透液性であり、トップシート２２及び吸収体３０を通過してきた体液を、アウターや下着側に排出されないようにする機能を有する。バックシート２１としては、不透液性を有し且つ通気性及び透湿性が高い多孔性（微多孔性）のシートを用いることができる。より具体的には、バックシート２１は、ポリマー製シート(ポリシート又はプラスチックシート)、例えば、ポリエチレンフィルム、ポリプロピレンフィルム等のオレフィン樹脂製のシートであると好ましい。このようなポリマー製シートは、例えば、樹脂中に無機充填材を溶融混練してシートを形成した後、一軸又は二軸方向に延伸することにより作製することができる。バックシート２１は、なお、なお、バックシート２１の外面は、不織布等の外装シートにより覆うこともできる。
【００３１】
本実施形態では、図１に示すように、バックシート２１は、吸収性物品１の本体（後述のファスニングテープ等を除いた部分）と同じ形状及びサイズを有する。また、バックシート２１のサイズは、吸収体３０よりも大きくなっている。すなわち、平面視で吸収体３０は、バックシート２１からはみ出さないように配置されている。
【００３２】
トップシート２２は透液性であり、排出された体液を速やかにその下側に配置された吸収体３０へと移行させる機能を有する。トップシート２２としては、不織布でもよいし、体液を吸収体へと移行させることのできる開口を有するポリマー製シート等であってもよい。トップシート２２が不織布である場合、素材繊維として、ポリエチレン、ポリプロピレン等のオレフィン系、ポリエステル系、アミド系等の合成繊維の他、レーヨン、キュプラ等の再生繊維、綿等の天然繊維を用いることができる。
【００３３】
図１に示す形態では、トップシート２２は、吸収体３０の幅方向Ｄ２の端部まで延在しておらず、吸収体３０を部分的に覆っている。吸収体３０の、トップシート２２によって覆われていない部分は、後述のギャザーシート２４、２４によって覆われている。但し、ギャザーシート２４、２４の有無に関わらず、トップシート２２が吸収体３０の全体を覆っていて、平面視で、吸収体３０全体を含むような大きさ及び形状を有していてもよい。
【００３４】
トップシート２２と吸収体３０との間には、中間シート（セカンドシート）を介在させることができる。中間シートを設けることで、吸収体３０により吸収した体液の逆戻りを防止することができる。そのため、中間シートとしては、保水性が低く且つ液透過性の高い素材、例えば各種の不織布、メッシュフィルム等を用いるのが好ましい。
【００３５】
図１に示すように、吸収性物品１の側部（幅方向Ｄ２の外側の端部）には、トップシート２２と部分的に重なるように前後方向Ｄ１に延在するギャザーシート２４、２４が配置されている。ギャザーシート２４、２４としては、不織布、ポリマー製シート等の多孔性シートを用いることができる。肌への感触性が良いという観点からは、不織布にシリコーン等によって撥水処理をしたものが好適に使用される。
【００３６】
各ギャザーシート２４の前方及び後方の端部は、その直下のシート（トップシート２２包装シート２６、又はバックシート２１）と貼り合され、また各ギャザーシート２４の側部は、前後方向Ｄ１に沿って、その直下のシート（トップシート２２、包装シート２６、又はバックシート２１）と貼り合されている（図１に斜線で示す）。さらに、各キャザーシート２４の幅方向Ｄ２の内側の端部には、前後方向Ｄ１に沿って伸張状態で固定された弾性部材２４ｅが１本又は複数本設けられている。この弾性部材２４ｅは、糸状、紐状、帯状等に形成された、スチレン系ゴム、オレフィン系ゴム、ウレタン系ゴム、エステル系ゴム等から製造されたものであってよい。弾性部材２４ｅが設けられていることで、ギャザーシート２４が接合されていない部分が、吸収性物品１の肌対向面側（トップシート側）に起立する立体的なギャザーとなり得る。このような起立したギャザーよって、側方への体液の漏れ等を防ぐことができる。
【００３７】
さらに、ギャザーシート２４の側部の前後方向Ｄ１の中央付近においては、トップシート２２及び／又はバックシート２１と貼り合せられている部分に、前後方向Ｄ１に沿って伸長状態で固定された弾性部材２４ｆが１本又は複数本設けられている。弾性部材２４ｆは、上述の弾性部材２４ｅと同様の材料で形成されていてよい。これにより、平面視で吸収体３０より側方の部分（吸収体３０に重なっていない部分）においてもギャザーが形成され、脚周りにフィットすることができる。
【００３８】
吸収体３０は、繊維又はフィラメントを含む層状体であってよい。吸収体３０は、例えば、パルプ繊維の積繊体、セルロースアセテート等のフィラメントの集合体、不織布等であってよく、必要に応じて粒子状等の高吸収性ポリマーを混合、固着等してなるものを用いることができる。図示の形態では、吸収体３０は一層で構成されているが、厚さ、形状、材料等が異なる又は同じ複数の層を積層させて構成することもできる。
【００３９】
吸収体３０における繊維目付及び高吸収性ポリマーの目付は適宜定めることができるが、繊維目付は１００〜４００ｇ／ｍ2程度とするのが好ましく、また吸収性ポリマーを含む場合、その目付は１０〜３００ｇ／ｍ2程度とするのが好ましい。
【００４０】
吸収体３０は、不織布やクレープ紙等の包装シート２６によって全体が又は部分的に包まれていてもよい。吸収体３０が高吸収性ポリマー粒子を混合する場合には、粒子のこぼれを防ぐために、包装シート２６を用いることが好ましい。また、吸収体３０が複数層からなる場合には、各層が包装シートによって包まれていてもよいし、包装シートが層間に挟まれていてもよい。包装シート２６は、無着色（すなわち、白色）であってもよいし、着色されていてもよい。色は、排出された体液の色を目立たなくすることができる色、例えば体液の色に近い色、又は体液の色の補色若しくはそれに近い色等にすることができる。
【００４１】
後方（背側）の側方には、側縁からそれぞれ突出する装着用テープ２７、２７が設けられている。装着用テープ２７、２７は、吸収性物品１を装着者の下腹部から臀部にかけてあてがった状態で、例えば前方（腹側）に設けられたターゲットテープ等（図示せず）に重ねることができる。そして、装着用テープ２７、２７の端部にもうけられた止着材２７ａ、２７ａによって止着することができる。この止着材としては、メカニカルファスナーのフック材や、粘着材を用いることができる。
【００４２】
（第１実施形態）
図１及び図２に示すように、股間対応領域Ｃには、その周囲よりも厚さが薄くなっている肉薄部５０が形成されている。肉薄部５０は、後述のように肉薄部５０の側方縁部５１、５２を近付けることができるように構成されていれば、例えば、吸収体が存在しない部分とすることもできるし、吸収体の量が周囲よりも少ない部分とすることもできる。
【００４３】
肉薄部５０は、股間対応領域Ｃに含まれるように形成されていてよいし、股間対応領域Ｃの前端から後端にかけて、又は前端及び／又は後端を越える前後方向Ｄ１の範囲で形成されていてよい。但し、吸収性物品１全体の形状安定性及び吸収体量の確保の観点から、肉薄部５０は、前方領域Ｆ及び後方領域Ｒには実質的に設けられていない方が好ましい。
【００４４】
また、肉薄部５０は、前後方向Ｄ１に沿って、前後方向中心線ＣＬ上に形成されていてよく、前後方向中心線ＣＬが幅方向Ｄ２の中心となるように形成されていることが好ましい。
【００４５】
図１及び図２に示す状態は、股間対応領域Ｃが展開されている、つまり幅方向Ｄ２に広げられて折り返されていない状態（幅広状態）である。本形態によれば、この幅広状態から股間対応領域Ｃの幅を狭くした幅狭状態とすることができる。
【００４６】
以下、図２に加え、図３及び図４をさらに参照して、幅広状態から幅狭状態への変形について説明する。図３には、幅狭状態にある吸収性物品１をバックシート２１側から見た、主として股間対応領域Ｃの部分を示し、図４（ａ）に、図１のＩ−Ｉ線断面図を示す。図３及び図４（ａ）は、吸収性物品１の幅広状態を示している。さらに、図４（ｂ）は、図４（ａ）の吸収性物品１の幅狭状態を示す。なお、図３及び図４（ａ）及び（ｂ）においては、ギャザーシート２４の図示を省略している。
【００４７】
上述のように、肉薄部５０は周囲より厚みが薄くなっているので、肉薄部５０と周囲との境界、すなわち肉薄部５０の側方縁部５１、５２に沿って又はその付近で折れ曲がりやすくなっている。そのため、肉薄部５０の側方縁部５１、５２を、具体的には肉薄部５０の幅方向Ｄ２外側の吸収体を、例えばそれぞれ両手で持って、トップシート２２側に持ち上げ、互いに幅方向Ｄ２に近付けることができる。よって、股間対応領域Ｃの幅を簡単に狭くすることができ、幅狭状態（図３及び図４（ｂ））を形成することができる。
【００４８】
また、肉薄部５０は、その周囲に比べ撓みやすくなっているので、上述のように肉薄部５０の両側縁部５１、５２を近付けた際には、図３及び図４（ｂ）に示すように、バックシート２１側に襞５３が形成され得る。襞５３は、図４（ｂ）に示すように、バックシート２１側に現れた、幅方向Ｄ２外側にそれぞれ突き出た２つ襞、すなわち箱襞（ボックスプリーツ）となっているが、肉薄部５０に形成される襞５３は図示のものに限られない。襞５３は、図示のような箱襞のうちの一方でもよいし、また別の形状を有していてもよい。但し、図示のように、バックシート２２側で襞５３が幅方向Ｄ２外側を向く箱襞となっていると、股間対応領域Ｃでのごわつきを抑えることができる。
【００４９】
本形態による吸収性物品１にはさらに、止着部６０が、バックシート２１の、吸収体３０と反対側の面に、肉薄部５０の側方縁部５１、５２に沿って設けられている。止着部６０は、肉薄部５０の両側方縁部５１、５２に沿って設けられていることが好ましい。その場合、止着部６０は、肉薄部５０の側方縁部の一方の側に形成された第１止着部６１と、他方の側に形成された第２止着部６２とを含む。
【００５０】
本明細書において、「縁部に沿って」とは、縁部付近で、縁部が延在する方向とほぼ同じ方向に延在することを指す。よって、第１止着部６１は、その内縁部が延びる方向及び／又はその外縁部が延びる方向が、肉薄部５０の側方縁部５１が延びる方向にほぼ平行になるように設けられていてよい。例えば、第１止着部６１は、その内縁部及び／又は外縁部が肉薄部５０の側方縁部５１に一致する又はほぼ一致するように設けられていてもよい。また、第１止着部６１の内縁が肉薄部５０の側方縁部５１を幅方向Ｄ２内側又は外側に、例えば１５ｍｍ以下、好ましくは１０ｍｍ以下の距離だけ越えていてもよい。第１止着部６１は、肉薄部５０の領域に内に、肉薄部５０の側方縁部５１から離間して配置されていてもよい。第２止着部６２についても同様である。止着部６０が、肉薄部５０の側方縁部５１、５２に沿って設けられていることで、肉薄部５０の側方縁部５１、５２に沿って又はその付近で吸収性物品１が折れ曲げやすくなるという効果を高めることができる。
【００５１】
図示の形態では、第１止着部６１の内縁部が肉薄部５０の側方縁部５１にほぼ一致するように、また第２止着部６２の内縁部が肉薄部５０の側方縁部５２にほぼ一致するように設けられているので（図２、図４等）、肉薄部５０の側方縁部５１、５２又はその付近に沿って吸収性物品１を折り曲げやすくなるという上記効果を一層高めることができる。
【００５２】
吸収性物品１を幅狭状態にする際、上述のように、肉薄部５０の側方縁部５１、５２を近付けることによって襞５３が形成されると、襞５３の非露出部分（襞５３が折り込まれた部分）は、止着部６０に対向し、接触することができる（図４（ｂ））。ここで、止着部６０はバックシート２１の材料に止着可能な材料から構成されている。よって、襞５３は止着部６０によって止着され、固定され得る。これにより、股間対応領域Ｃの幅が狭められた幅狭状態（図３及び図４（ｂ））を、吸収性物品１の装着中も維持することが可能となる。
【００５３】
使い捨ておむつのような吸収性物品の装着者の体型は様々であるので、従来、多くの異なる装着者に対して優れたフィット性を有する吸収性物品を提供することは困難であった。例えば、股間対応領域Ｃの幅が、装着者の股間部位の幅に対して大きすぎる場合等には、装着時に股間対応領域Ｃが幅方向Ｄ２両側から圧縮され、不規則に折れ曲がってしまう可能性がある。そうすると、装着者の身体と吸収性物品１との間に不要な隙間ができて漏れの原因となる場合がある。さらに、不規則な折れ曲がり部分が股間部位に当たって、違和感を生じさせる場合もある。また、吸収性物品を、アウターとして、すなわちパッドを肌側に装着して使用する使用形態の場合には、アウターである吸収性物品の大きさがパッドの大きさに適合せず、パッドが外れやすくなってしまい、所望のパッドを利用できない場合があった。
【００５４】
これに対し、本形態によれば、吸収性物品１を、股間対応領域Ｃが展開されてその幅が最大となっている幅広状態（図１、図２、及び図４（ａ））から、幅が狭められた幅狭状態（図３及び図４（ｂ））へと容易に変形させることができる上、その幅狭状態を維持できるように構成されている。これにより、股間対応領域Ｃの幅を、装着者の体型や吸収性物品の使用形態等に応じて調整することができるので、異なる装着者の体型、使用形態等に合わせて吸収性物品１を良好にフィットさせることができ、漏れの防止、及び違和感の低減が可能となる。
【００５５】
なお、図３及び図４（ｂ）に示す幅狭状態は、肉薄部５０の側方縁部５１、５２は接触していない。しかし、幅狭状態を形成する際には、装着者の体型や装着形態に合わせて、肉薄部５０の側方縁部５１、５２が接触する、すなわち肉薄部５０の側方縁部５１、５２が突き合わされて、肉薄部５０が閉じられるようにすることもできる。また、肉薄部５０の側方縁部５１、５２の距離もより大きく又はより小さく調整することができ、その状態で襞５３を止着部６０によって止着することができるので、調整後の状態を装着中も維持することができる。
【００５６】
なお、幅広状態（図１、図２及び図４（ａ））では、肉薄部５０の幅は、３０〜１３０ｍｍ程度であってよい。幅が３０ｍｍ以上であることにより襞５３をより簡単に形成できる一方、１３０ｍｍ以下であることにより股間対応領域Ｃにおける吸収体量を確保することができる。
【００５７】
肉薄部５０の幅は、前後方向Ｄ１にわたって一定であってもよいし、変化していてもよい。例えば、肉薄部５０の前方及び／又は後方の幅を、前後方向Ｄ１中央に比べて小さくすることもできる。肉薄部５０の前端付近及び後端付近では、側方縁部５１、５２同士を近付けにくいので、肉薄部５０の前方及び／又は後方の幅を小さくすることによって、シワ等が、前方及び／又は後方で生じにくくなる。肉薄部５０の前方及び／又は後方の幅を前後方向Ｄ１中央に比べて小さくする場合、幅は、前後方向Ｄ１中央から遠ざかるにつれ漸次小さくしてもよいし、段階的に小さくしてもよい。
【００５８】
図示の形態では、肉薄部５０には吸収体を存在させていないが、その場合、肉薄部５０においてトップシート２２とバックシート２１とは貼り合されていてもよいし、また貼り合されていなくともよい。但し、貼り合されていた方が、トップシート２２とバックシート２１とが共に変形することができ、襞５３の形成されやすく、不規則なシワも生じにくい。
【００５９】
第１止着部６１及び第２止着部６２（止着部６０）は、上述のように、バックシート２１の材料に対して止着可能な材料からなっているが、バックシート２１に対して着脱可能であってもよいし、着脱不能であってもよい。なお、ここで、着脱可能とは、吸収性物品１の使用者の通常の力で装着及び取外しができることを指し、着脱不能とは、一旦止着した後に止着部６０を取り外した場合、再び止着ができないことを指す。
【００６０】
止着部６０をバックシート２１に対して着脱可能とする場合、止着部６０は、例えば、バックシート２１の表面に対して係合可能なメカニカルファスナーのフック材等とすることができる。また、フック材に替えて、バックシート２１の表面に対して粘着可能な粘着剤層を用いることもできる。その場合、止着部６０としては、装着用テープ２７、２７で用いられている止着材２７ａ、２７ａと同じものを用いてもよい。
【００６１】
止着部６０が着脱可能であると、襞５３を一旦バックシート２１に止着した後でも、止着を解除して、再び新たな位置に止着することが可能になる。つまり、襞５３の形成及び止着を繰り返し行うことができるので、一旦幅狭状態にした後に幅広状態へと変形させたり、幅狭状態への変形をやり直したりすることが可能となる。
【００６２】
止着部６０は、第１側部吸収体３１及び第２側部吸収体３２が設けられている前後方向Ｄ１の範囲にわたって、また、止着部６０は、前後方向Ｄ１にわたって連続して設けられていてもよいし、図２等に示すように、不連続になっていてもよい。連続して設けられている場合には、止着機能が高まり、幅狭状態をより安定して維持することができる。また、図２等に示すように、不連続に（断続的に）設けられている場合には、股間対応領域Ｃでの柔軟性を向上させることができ、またコストも低減できる。
【００６３】
止着部６０の大きさや形状も特に限定されないが、止着部６０の幅は、１０〜３０ｍｍ程度とすることができる。また、図２等の形態では、止着部６０は前後方向Ｄ１に長辺を有する長方形の形状であるが、その他の四角形、四角形以外の多角形、円、楕円、又はその一部の形状であってもよい。さらに、前後方向Ｄ１に延びる止着部６０が、幅方向Ｄ２に複数並置されていてもよい。
【００６４】
（第２実施形態）
図５に、本発明の別の形態による吸収性物品１Ａの主として股間対応領域Ｃの部分を示す。また、図６に、図５のＩＩ−ＩＩ線断面図を示す。
【００６５】
図５及び図６に示すように、吸収性物品１Ａにおいては、肉薄部５０の間に掴み部５５Ａが配置されている。掴み部５５は、幅広状態（図１、図２、及び図４（ａ））から幅狭状態（図３及び図４（ｂ））を形成する際に、バックシート２１側から掴むことができる部分である。よって、掴み部５５Ａは、バックシート２１及び／又はトップシート２２の露出面に配置された、或いはバックシート２１とトップシート２２との間に配置された肉厚部分とすることができる。
【００６６】
吸収性物品１を幅狭状態にする際には、一方の手でバックシート２１側から掴み部５５Ａを掴み、もう他方の手で、第１側部吸収体３１が含まれる部分及び第２側部吸収体３２が含まれる部分を順に幅方向Ｄ２中央に引き寄せ、襞を作り、止着部６０で止着することができる。よって、吸収性物品１を幅狭状態にする場合に掴み部５５を掴んで保持することで、襞の形成が容易となり、ひいては幅狭状態の形成（幅の調整）を安定的に行うことができる。
【００６７】
掴み部５５Ａは、使用者が掴んで、襞５３を形成しやすくするものであれば、その構成は特に限定されない。掴み部５５Ａは、例えば図６に示すように、別体の肉厚部分を形成し、その肉厚部分を、トップシート２２の露出面に肉薄部５３内の領域に貼り付けてもよい。また、同様の肉厚部分を貼り付ける場所は、バックシート２１の露出面であってもよい。このような肉厚部分は、吸収体材料をシートで包装して構成することができる。さらに、掴み部５５Ａは、例えば、トップシート２２とバックシート２１との間に配置された吸収体３０の一部としてもよい。
【００６８】
掴み部５５Ａは、吸収体材料を含むものではなく、その部分の剛性を高めた部分としてもよく、不織布等のシート状体を貼り付ける等して形成してもよい。但し、上述のように掴み部５５Ａが吸収体材料を含んでいると、その部分での吸収量を増加させることができるので好ましい。
【００６９】
掴み部５５Ａは、平面視で、肉薄部５０の側方縁部５１、５２から離間していることが好ましい。これにより、肉薄部５０の側方縁部５１、５２に沿って又はその付近で吸収性物品１を折り曲げる作用が妨げられない。また、掴み部５５Ａは、掴み部５５Ａの輪郭が襞の折れ目となるように形成しておくと、その輪郭に沿って吸収性物品１を折って襞を容易に形成することができ、幅狭状態の形成も容易となる。
【００７０】
図示の形態では、掴み部５５Ａは、前後方向中心線ＣＬ上に、前後方向Ｄ１に沿って形成されている。掴み部５５Ａの平面視形状は、前後方向Ｄ１に長辺を有する長方形となっているが、正方形以外の多角形や長楕円、又はその一部の形状を有していてもよい。また、掴み部５５Ａは、前後方向Ｄ１に連続して設けられているが、使用者が掴める構成であれば、前後方向Ｄ１に不連続とすることもできる。なお、掴み部５５Ａの平面視面積は、肉薄部５０の平面視面積１００％に対して１０〜５０％程度とすることができる。
【００７１】
なお、掴み部５５Ａを、肉薄部５０内で厚みが比較的大きい部分として形成する場合、その厚みは、肉薄部５０の周囲の吸収体３０の厚みと同等又はそれより小さくすることができる。これにより、吸収性物品１Ａを幅広状態のまま使用した場合にも幅狭状態として使用した場合にも、股間対応領域Ｃにおける違和感を防止することができる。
【００７２】
（第３実施形態）
図７に、本発明の別の形態による吸収性物品１Ｂを示す。本形態は、肉薄部５０の間に掴み部５５Ｂが配置されている点は第２実施形態と同様であるが、掴み部５５Ｂは、複数部分に分割されており、前後方向Ｄ１に不連続に配置されている。そして、掴み部５５Ｂが設けられている前後方向Ｄ１の位置においては、肉薄部５０の幅が大きくなっている。これにより、肉薄部５０の側方縁部５１、５２はそれぞれ、凹凸を有するように延びている。
【００７３】
本形態においても、第１及び第２実施形態と同様に肉薄部５０の側方縁部５１、５２同士を近付け、襞を形成して、幅狭状態（図３及び図４（ｂ））とすることができる。しかし、本形態では、肉薄部５０の側方縁部５１、５２を近付けた際に、掴み部５５Ｂが、側方縁部５１、５２の凹凸に嵌り込むことができる。すなわち、幅狭状態において、肉薄部５０の内縁部５１又は内縁部５２に沿って前後方向Ｄ１で見ると、側方にある吸収体と掴み部５５Ｂとが交互に並ぶ。これにより、掴み部５５Ｂと肉薄部５０の側方にある吸収体とが前後方向Ｄ１に噛み合うことになり、前後方向Ｄ１にずれにくくなるので、幅狭状態を一層安定的に維持することができる。
【００７４】
（第４実施形態）
図８に、本発明の別の形態による吸収性物品１Ｃの主として股間対応領域Ｃの部分を示す。本形態の基本的な構成は、第１実施形態（図１〜図４）と同様であるが、吸収性物品１Ｃにおいては、吸収体３０に、肉薄部５０より前方及び後方に、肉薄部５０から離れるほど幅方向Ｄ２外側に向かって延びているスリット７０が形成されている。図示の形態では、スリット７０は、前方及び後方にそれぞれ２つずつ設けられているが、スリット７０は前方及び後方のどちらか一方に形成してもよい。
【００７５】
上述のように、吸収性物品を変形させて幅狭状態（図３及び図４（ｂ））を形成した場合には、肉薄部５０の前方及び／又は後方でシワがよりやすくなる。これに対し、本形態のようにスリット７０を設けておくと、スリット７０がそのシワを吸収することができる。すなわち、シワを低減又は解消することができる。これにより、シワが装着者の肌に当たって生じる違和感を低減することができる。
【００７６】
スリット７０は、肉薄部５０の前方に、肉薄部５０から離間した位置から前方に延びていてよいが、肉薄部５０と連結していてもよい。肉薄部５０が長方形である場合には、スリット７０の延長線が、肉薄部５０の輪郭の前方の２つの頂点を通るように延びていると好ましい。また、スリット７０は直線状であってもよいし、曲線状であってもよい。肉薄部５０の後方のスリットについても同様である。
【００７７】
なお、本形態では、上述のスリット（吸収体が存在しない線状の部分）に代えて、周囲より薄い吸収体が存在する部分である溝とすることもできる。吸収体３０が複数層の積層体からなる場合には、トップシート２２側の１又は複数の層にスリットを形成し、それに積層されたバックシート２１側の１又は複数の層にはスリットを形成しないようにすることもできる。
【００７８】
また、上述のスリットに代えて、トップシート２２と吸収体３０とをともに圧搾して形成された圧搾溝を形成することもできる。このような圧搾溝によっても、肉薄部５０の前方及び／又は後方に生じ得るシワを低減又は解消することができる。
【００７９】
以上、具体的な実施形態について、テープ式の使い捨ておむつを例に詳説したが、本形態は、パッドタイプ、パンツタイプ等の他の形態の使い捨ておむつにおいても適用することができる。
【符号の説明】
【００８０】
１、１Ａ、１Ｂ、１Ｃ  吸収性物品
２１  バックシート
２２  トップシート
２４  ギャザーシート
２４ｅ、２４ｆ  弾性部材
２６  包装シート
２７  装着用テープ
２７ａ  止着材
３０  吸収体
５０  肉薄部
５１、５２  肉薄部の側方縁部
５３  襞
５５Ａ、５５Ｂ  掴み部
６０  止着部
６１  第１止着部
６２  第２止着部
７０  スリット
ＣＬ  前後方向中心線（第１方向Ｄ１に沿った中心線）
Ｄ１  前後方向（第１方向）
Ｄ２  幅方向（第２方向）
Ｃ  股間対応領域
Ｆ  前方領域
Ｒ  後方領域
【図１】
2020048935.tif 000003
【図２】
2020048935.tif 000004
【図３】
2020048935.tif 000005
【図４】
2020048935.tif 000006
【図５】
2020048935.tif 000007
【図６】
2020048935.tif 000008
【図７】
2020048935.tif 000009
【図８】
2020048935.tif 000010